(57)【要約】【課題】棚板の湾曲や撓みの発生を効果的に防止することができるようにした棚板本体への補助棚板の取付構造を提供する。【解決手段】棚板本体２の後端部２ａに、左右方向に延び、左右方向および後方に開口する第１係合溝４と第２係合溝５を、前方から後方に順次配置して形成するとともに、補助棚板３の前端部３ａに、少なくとも前記第２係合溝５を介して第１係合溝４に内嵌状態で係合する第１係合部１０を設け、補助棚板３を左右方向からスライドさせて、補助棚板３の第１係合部１０を、棚板本体２の第１係合溝４に係合しうるようにする。【選択図】    図２
2009172309.tif 000002
【特許請求の範囲】
【請求項１】
左右方向に延びる棚板本体の後端に、後方に延設される補助棚板を取り付けてなる棚板において、
棚板本体の後端部に、左右方向に延び、左右方向および後方に開口する第１係合溝と第２係合溝を、前方から後方に順次配置して形成するとともに、補助棚板の前端に、少なくとも前記第２係合溝を介して第１係合溝に内嵌状態で係合する第１係合部を設け、補助棚板を左右方向からスライドさせて、補助棚板の第１係合部を、棚板本体の第１係合溝に係合しうるようにしたことを特徴とする棚板本体への補助棚板の取付構造。
【請求項２】
補助棚板の前端に、棚板本体の第１係合溝、第２係合溝に、それぞれ係合する第１係合部、第２係合部を、前方から後方に順次配置して形成した請求項１記載の棚板本体への補助棚板の取付構造。
【請求項３】
棚板本体の後端部に、後端縁面の上下縁を残して中央部が後方に開口し、上下方向の幅が前記開口よりも奥部が広幅な左右方向に延びる溝を形成するとともに、この溝の上下の対向面に、互いに対向する１対の左右方向の突条を形成し、この突条で区画される前方の溝を第１係合溝、後方の溝を第２係合溝とした請求項１または２記載の棚板本体への補助棚板の取付構造。
【請求項４】
第１係合部の上下方向の幅を、第１係合溝における上下方向の対向面間の離間幅とほぼ同じ大きさにするとともに、第２係合部の上下幅を、第２係合溝の開口における上下方向の幅とほぼ同じ大きさにした請求項３記載の棚板本体への補助棚板の取付構造。
【請求項５】
第１係合溝と第２係合溝のそれぞれの前後方向の奥行き幅を、前者を後者よりも大きくした請求項１〜４のいずれかに記載の棚板本体への補助棚板の取付構造。
【請求項６】
第１係合溝における上下の対向面に、互いに対向する１対または複数対の左右方向の副突条を形成し、第１係合部の上下方向の幅を、前記副突条の遊端間の離間幅とほぼ同じ大きさにした請求項１〜３、または５のいずれかに記載の棚板本体への補助棚板の取付構造。
【請求項７】
棚板本体および補助棚板を、アルミニウム押出し材によって形成した請求項１〜６のいずれかに記載の棚板本体への補助棚板の取付構造。
【発明の詳細な説明】
【技術分野】
【０００１】
本発明は、書籍等の陳列商品を支持するための棚装置に用いられる棚板本体への補助棚板の取付構造に関する。
【背景技術】
【０００２】
従来の棚装置における棚板の構造としは、書籍等の陳列商品の表紙幅に応じて奥行き長さを調整するために、棚板本体の後端に、補助棚板が連結可能に取り付けられるようにしたものがある（たとえば特許文献１参照）。
【０００３】
しかし、前記した特許文献１記載のものは、棚板本体と補助棚板との連結構造が、断面Ｃ字形の嵌合溝と断面Ｔ字形の係合突起とによることから、陳列商品の重量によっては強度不足となり易いため、棚板全体に亘って湾曲や撓みが発生し易いという問題があった。
【特許文献１】特開２００１−２９１５２号公報（図１１参照）
【発明の開示】
【発明が解決しようとする課題】
【０００４】
本発明は、前記の現状に鑑み、棚板の湾曲や撓みの発生を効果的に防止することができるようにした棚板本体への補助棚板の取付構造を提供することを目的とする。
【課題を解決するための手段】
【０００５】
上記課題は、「特許請求の範囲」における各請求項に記載するように、次のような構成からなる発明によって解決される。
（１）  左右方向に延びる棚板本体の後端に、後方に延設される補助棚板を取り付けてなる棚板において、棚板本体の後端部に、左右方向に延び、左右方向および後方に開口する第１係合溝と第２係合溝を、後方から前方に順次配置して形成するとともに、補助棚板の前端に、少なくとも前記第２係合溝を介して第１係合溝に内嵌状態で係合する第１係合部を設け、補助棚板を左右方向からスライドさせて、補助棚板の第１係合部を棚板本体の第１係合溝に係合しうるようにする。
【０００６】
（２）  上記（１）項において、補助棚板の前端に、棚板本体の第１係合溝、第２係合溝に、それぞれ係合する第１係合部、第２係合部を、前方から後方に順次配置して形成する。
【０００７】
（３）  上記（１）項または（２）項において、棚板本体の後端部に、後端縁面の上下縁を残して中央部が後方に開口し、上下方向の幅が前記開口よりも奥部が広幅な左右方向に延びる溝を形成するとともに、この溝の上下の対向面に、互いに対向する１対の左右方向の突条を形成し、この突条で区画される前方の溝を第１係合溝、後方の溝を第２係合溝とする。
【０００８】
（４）  上記（３）項において、第１係合部の上下方向の幅を、第１係合溝における上下方向の対向面間の離間幅とほぼ同じ大きさにするとともに、第２係合部の上下幅を、第２係合溝の開口における上下方向の幅とほぼ同じ大きさにする。
【０００９】
（５）  上記（１）〜（４）項のいずれかにおいて、第１係合溝と第２係合溝のそれぞれの前後方向の奥行き幅を、前者を後者よりも大きくしる。
【００１０】
（６）  上記（１）〜（３）項、または（５）項のいずれかにおいて、第１係合溝における上下の対向面に、互いに対向する１対または複数対の左右方向の副突条を形成し、第１係合部の上下方向の幅を、前記副突条の遊端間の離間幅とほぼ同じ大きさにする。
【００１１】
（７）  上記（１）〜（６）項のいずれかにおいて、棚板本体および補助棚板を、アルミニウム押出し材によって形成する。
【発明の効果】
【００１２】
本発明によれば、次のような効果を奏することができる。
請求項１記載の発明によると、棚板本体の後端部に、左右方向に延び、左右方向および後方に開口する第１係合溝と第２係合溝を、前方から後方に順次配置して形成するとともに、補助棚板の前端に、少なくとも前記第２係合溝を介して第１係合溝に内嵌状態で係合する第１係合部を設け、補助棚板を左右方向からスライドさせて、補助棚板の第１係合部を、棚板本体の第１係合溝に係合しうるようにしてあるため、棚板本体の後端部と補助棚板の前端との前後方向の係合幅を大きくすることができ、両者を強固に連結することができる。
これにより、棚板本体と補助棚板の連結強度の不足を解消することができ、陳列商品の重さによる棚板の湾曲や撓みの発生を効果的に防止することができる。
【００１３】
請求項２記載の発明によると、補助棚板の前端に、棚板本体の第１係合溝、第２係合溝に、それぞれ係合する第１係合部、第２係合部を、前方から後方に順次配置して形成してあるため、棚板本体と補助棚板との間の連結を、より強固にすることができる。
【００１４】
請求項３記載の発明によると、棚板本体の後端部に、後端縁面の上下縁を残して中央部が後方に開口し、上下方向の幅が前記開口よりも奥部が広幅な左右方向に延びる溝を形成するとともに、この溝の上下の対向面に、互いに対向する１対の左右方向の突条を形成し、この突条で区画される前方の溝を第１係合溝、後方の溝を第２係合溝としてあるため、棚板本体の後端部に、第１係合溝と第２係合溝とで形成される係合溝の前後の係合幅を大きくすることができ、補助棚板の第１係合部、第２係合部との連結強度を高めることができる。
【００１５】
請求項４記載の発明によると、第１係合部の上下方向の幅を、第１係合溝における上下方向の対向面間の離間幅とほぼ同じ大きさにするとともに、第２係合部の上下幅を、第２係合溝の開口における上下方向の幅とほぼ同じ大きさにしてあるため、第１係合溝に対する第１係合部、第２係合溝に対する第２係合部の内嵌状態を密接させることができ、棚板本体と補助棚板との間の連結強度を高めることができる。
【００１６】
請求項５記載の発明によると、第１係合溝と第２係合溝のそれぞれの前後方向の奥行き幅を、前者を後者よりも大きくしてあるため、第１係合溝と第１係合部における前後方向の内嵌幅、第２係合部と第２係合溝における前後方向の内嵌幅を、後者よりも前者を大きくすることができ、棚板本体と補助棚板との連結部分における曲げモーメントを大きくすることができるとともに、棚板本体と補助棚板との間の連結強度を高めることができる。
【００１７】
請求項６記載の発明によると、第１係合溝における上下の対向面に、互いに対向する１対または複数対の左右方向の副突条を形成し、第１係合部の上下方向の幅を、前記副突条の遊端間の離間幅とほぼ同じ大きさにしてあるため、第１係合溝に対する第１係合部との間の内嵌状態を密接させることができ、両者間の上下の隙間を吸収することができ、棚板本体と補助棚板とのがたつきを防止することができる。
【００１８】
請求項７記載の発明によると、棚板本体および補助棚板を、アルミニウム押出し材によって形成してあるため、全体重量の軽量化を図ることができる。
【発明を実施するための最良の形態】
【００１９】
次に、本発明の一実施形態を、図面に基いて詳細に説明する。
図１は、本発明の第１実施形態における棚板の斜視図、図２は、図１の円Ａにおける要部拡大縦断面図、図３は、棚板本体と補助棚板、および後縁立片の取付け状態を示す要部分解斜視図である。
【００２０】
図１に示すように、本発明の棚板１は、アルミニウム押出し材によって、左右方向に延びる棚板本体２と、この棚板本体２の後端に着脱可能に結取り付けられ、かつ後方に延設される補助棚板３とにより形成されている。
【００２１】
棚板本体２の後端部２ａには、図２に示すように、左右方向に延び、左右方向および後方に開口する第１係合溝４と第２係合溝５が、前方から後方に順次配置して形成されている。
第１係合溝４における前後方向の奥行き幅Ｌ1は、第２係合溝５における前後方向の奥行き幅Ｌ2よりも大きく（Ｌ1＞Ｌ2）形成されている。
【００２２】
第１係合溝４、第２係合溝５は、棚板本体２における後端縁面の上下縁６、６を残して中央部が後方に開口し、上下方向の係合幅Ｗ1が、前記開口部７における上下の開口幅Ｗ2よりも奥部が広幅（Ｗ1＞Ｗ2）な左右方向に延びる溝８が形成され、この溝８の上下の対向面に、互いに対向する１対の左右方向の突条９、９を形成することにより、この突条９、９で区画される前方の溝が第１係合溝４、後方の溝が第２係合溝５として形成されている。
【００２３】
補助棚板３の前端部３ａには、第１係合部１０、第２係合部１１が、前方から後方に順次配置して形成されている。
第１係合部１０は、棚板本体２における第１係合溝４に内嵌状態で係合し、第２係合部１１は、第２係合溝５に係合している。
【００２４】
補助棚板３における第１係合部１０の上下方向の幅Ｗ3は、棚板本体２における第１係合溝４の上下方向の対向面間の離間幅Ｗ4とほぼ同じ大きさであり、第２係合部１１における上下方向の係合幅Ｗ5は、第２係合溝５の開口部７の開口幅Ｗ2とほぼ同じ大きさになっている。
【００２５】
図１、図３に示すように、補助棚板３の後端部３ｂには、ストッパ片１２が左右方向に着脱可能に取り付けられ、このストッパ片１２には、棚板１上に、棚板本体２と補助棚板３との間を跨いで載置される、図示しない陳列商品の後端が当接されるようになっている。
ストッパ片１２の前面下部には、係合部１３が設けられ、この係合部１３を、補助棚板３の後端部３ｂに形成した、棚板本体２における第２係合溝５とほぼ同一形状をなす係合溝１４に係合させることにより、ストッパ片１２が補助棚板３の後端部３ｂに取り付けられている。
【００２６】
このストッパ片１２は、棚板本体２に補助棚板３を取り付ける必要がないときには、棚板本体２における後端部２ａの第２係合溝５に係合されて、棚板本体２上に載置される陳列商品の後端が当接されるようになっている。
【００２７】
次に、棚板本体２、補助棚板３の取付手順の一例を説明する。
図３に示すように、補助棚板３を、棚板本体２に対して左右方向にスライドさせて、補助棚板３の第１係合部１０、第２係合部１１を、それぞれ棚板本体２の第１係合溝４、第２係合溝５に係合させることにより、棚板本体２の後端部２ａに補助棚板３を取り付ける。
【００２８】
次いで、補助棚板３における後端部３ｂの係合溝１４に対し、ストッパ片１２の係合部１３を左右方向からスライドさせて係合させることにより、補助棚板３の後端部３ｂにストッパ片１２を取り付ける。
【００２９】
図４は、本発明の第２実施形態における要部拡大縦断面図である。
本実施形態の棚板１５は、棚板本体１６の後端部１６ａに、第１係合溝１７、第２係合溝１８を前方から後方に順次配置するとともに、第１係合溝１７の上下の対向面に、互いに対向する１対または複数対の副突条１９、１９が左右方向に形成されている。
一方、補助棚板２０の前端部２０ａには、第１係合部２１、第２係合部２２を前方から後方に順次配置するとともに、第１係合部２１の上下方向の幅Ｗ6を、前記副突条１９、１９の遊端間の離間幅Ｗ7とほぼ同じ大きさになるように形成してある。
これにより、第１係合溝１７に、第１係合部２１を強固に係合させることができる。
【図面の簡単な説明】
【００３０】
【図１】本発明の第１実施形態における棚板の斜視図である。
【図２】図１の円Ａにおける要部拡大縦断面図である。
【図３】棚板本体と補助棚板、およびストッパ片の取付け状態を示す要部分解斜視図である。
【図４】本発明の第２実施形態における要部拡大縦断面図である。
【符号の説明】
【００３１】
１    棚板
２    棚板本体
２ａ  後端部
３    補助棚板
３ａ  前端部
３ｂ  後端部
４    第１係合溝
５    第２係合溝
６、６  上下縁
７    開口部
８    溝
９    突条
１０  第１係合部
１１  第２係合部
１２  ストッパ片
１３  係合部
１４  係合溝
１５  棚板
１６  棚板本体
１６ａ  後端部
１７  第１係合溝
１８  第２係合溝
１９  副突条
２０  補助棚板
２０ａ  前端部
２１  第１係合部
２２  第２係合部
Ｌ1  第１係合溝の奥行き幅
Ｌ2  第２係合溝の奥行き幅
Ｗ1  第２係合溝の係合幅
Ｗ2  開口幅
Ｗ3  第１係合部の上下方向の幅
Ｗ4  第１係合溝における対向面間の離間幅
Ｗ5  第２係合部の係合幅
Ｗ6  第１係合部の上下方向の幅
Ｗ7  副突条における遊端間の離間幅
【図１】
2009172309.tif 000003
【図２】
2009172309.tif 000004
【図３】
2009172309.tif 000005
【図４】
2009172309.tif 000006